(57)【要約】【課題】接続端子と電線とを容易に接続できるとともに、接続箇所に充分な機械的強度が得られる電線に対する端子の接続構造を提供する。【解決手段】前端側に相手側端子が接続される端子接続部１１と、端子接続部１１の後端側に設けられ、電線３と接続される電線接続部１２とを備えた接続端子１に、電線３を接続する電線に対する端子の接続構造に、電線接続部１２を箱形状に形成し、箱形状部分１２ａの後端面に箱形状部分１２ａ内部に連通する電線挿入孔１３を設け、箱形状部分１２ａの内部に半田２を封入し、半田２を加熱して溶融しつつ、電線挿入孔１３に電線３を挿入し、電線３と電線接続部１２とを電気的に接続する。【選択図】図１
2010108736.tif 000002
【特許請求の範囲】
【請求項１】
前端側に相手側端子が接続される端子接続部と、該端子接続部の後端側に設けられ、電線と接続される電線接続部とを備えた接続端子に、該電線を接続する電線に対する端子の接続構造であって、
前記電線接続部は箱形状に形成され、
当該箱形状部分の後端面には当該箱形状部分内部に連通する電線挿入孔が設けられ、
当該箱形状部分の内部に半田が封入され、
該半田を加熱して溶融しつつ、該電線挿入孔に前記電線を挿入し、
該電線と該電線接続部とを電気的に接続することを特徴とする電線に対する端子の接続構造。
【請求項２】
請求項１記載の電線に対する端子の接続構造であって、
前記電線接続部の前記箱形状部分に、当該箱形状部分内部に連通する照射窓を設け、
該照射窓を通じてレーザー光を該箱形状部分内部に照射し、封入された半田を溶融することを特徴とする電線に対する端子の接続構造。
【請求項３】
前端側に相手側端子が接続される端子接続部と、該端子接続部の後端側に設けられ、電線と接続される電線接続部とを備えた接続端子に、該電線を接続する電線に対する端子の接続方法であって、
前記電線接続部を箱形状に形成しつつ、当該箱形状部分の内部に半田を封入する工程と、
前記電線接続部の当該箱形状部分に設けられた照射窓を通じてレーザー光を該箱形状部分内部に照射し、封入された半田を溶融する工程とを備えたこと特徴とする電線に対する端子の接続方法。
【発明の詳細な説明】
【技術分野】
【０００１】
本発明は、電線と端子との接続構造に関する。
【背景技術】
【０００２】
この種の従来の電線と端子との接続方法として、特許文献１に開示されたものがある。この接続方法は、図３、図４に示すように、電線としてのフラットケーブル１０３端部の被覆１３２を除去し、露出した芯線１３１をコネクタ１１０の端子１０１に当接した状態で、レーザー光を照射して芯線１３１と端子１０１とを接合し、電気的に接続が行なわれる。
【特許文献１】特開平３−１２７４７６号公報
【発明の開示】
【発明が解決しようとする課題】
【０００３】
しかしながら、特許文献１の接続方法にあっては、レーザー光を用いて電線の芯線とコネクタの端子とを接合しているが、接合部分の機械的強度が弱く、所望する接合強度を得ることが非常に困難であった。また、芯線と端子とをそれぞれ構成する金属が異なる場合には、さらに接合強度が得られず、所望する接合強度を得ることが非常に困難であった。
【０００４】
そこで、本発明は、前記した課題を解決すべくなされたものであり、接続端子と電線とを容易に接続できるとともに、接続箇所に充分な機械的強度が得られる電線に対する端子の接続構造、および接続方法を提供することを目的とする。
【課題を解決するための手段】
【０００５】
請求項１の発明は、前端側に相手側端子が接続される端子接続部と、該端子接続部の後端側に設けられ、電線と接続される電線接続部とを備えた接続端子に、該電線を接続する電線に対する端子の接続構造であって、前記電線接続部は箱形状に形成され、当該箱形状部分の後端面には当該箱形状部分内部に連通する電線挿入孔が設けられ、当該箱形状部分の内部に半田が封入され、該半田を加熱して溶融しつつ、該電線挿入孔に前記電線を挿入し、該電線と該電線接続部とを電気的に接続することを特徴とする電線に対する端子の接続構造である。
【０００６】
請求項２の発明は、請求項１記載の電線に対する端子の接続構造であって、前記電線接続部の前記箱形状部分に、当該箱形状部分内部に連通する照射窓を設け、該照射窓を通じてレーザー光を該箱形状部分内部に照射し、封入された半田を溶融することを特徴とする電線に対する端子の接続構造である。
【０００７】
請求項３の発明は、前端側に相手側端子が接続される端子接続部と、該端子接続部の後端側に設けられ、電線と接続される電線接続部とを備えた接続端子に、該電線を接続する電線に対する端子の接続方法であって、前記電線接続部を箱形状に形成しつつ、当該箱形状部分の内部に半田を封入する工程と、前記電線接続部の当該箱形状部分に設けられた照射窓を通じてレーザー光を該箱形状部分内部に照射し、封入された半田を溶融する工程とを備えたこと特徴とする電線に対する端子の接続方法である。
【発明の効果】
【０００８】
請求項１の発明によれば、電線接続部の箱形状部分の内部に封入された半田を加熱して溶融しつつ、電線挿入孔に電線を挿入し、電線と電線接続部とを電気的に接続することによって、溶融した半田が漏れ出すことがなく、電線と接続端子とが充分な量の半田で接合される。したがって、接続端子と電線とを容易に接続できるとともに、接続箇所に充分な機械的強度が得られる。
【０００９】
請求項２の発明によれば、電線接続部の箱形状部分に設けられた照射窓を通じてレーザー光を箱形状部分内部に照射し、封入された半田を溶融する。したがって、封入された半田を容易に溶融でき、半田を溶融するために複雑な工程を追加せずに済むので、溶融した半田を外部に漏出することなく接続端子と電線とを接続できる。
【００１０】
請求項３の発明によれば、電線接続部を箱形状に形成しつつ、箱形状部分の内部に半田を封入する工程と、電線接続部の箱形状部分に設けられた照射窓を通じてレーザー光を箱形状部分内部に照射し、封入された半田を溶融する工程とによって電線と接続端子とを接続する。したがって、接続端子と電線とを容易に接続できるとともに、接続箇所に充分な機械的強度が得られる。
【発明を実施するための最良の形態】
【００１１】
以下、本発明の一実施形態を図面に基づいて説明する。図１、図２は本発明の一実施形態を示し、図１は接続端子に電線を接合させた状態を示す組立斜視図、図２は接続端子の展開状態を示す斜視図である。
【００１２】
本願の接続端子１は、雄型の接続端子で、図１、図２に示すように、板状の金属からなり  前端側に相手側端子である雌型の接続端子（図示せず）が接続される端子接続部１１と、端子接続部１１の後端側に電線３と接続される電線接続部１２とを備えている。端子接続部１１は、長板状に形成されている。電線接続部１２は、プレス加工によって箱形状に形成されている。また、この箱形状部分１２ａの後端面には、箱形状部分１２ａ内部に連通する電線挿入孔１３が設けられ、箱形状部分１２ａの上面には、箱形状部分１２ａ内部に連通する照射窓１４が設けられている。
【００１３】
電線３は、金属線からなる導線部３１と、この導線部３１の外周の覆う絶縁材からなる被覆部３２とで構成されている。
【００１４】
次に、上記構成において、電線３と接続端子１とを接続する手順を示す。まず、図２に示すように、あらかじめ平板の金属板から展開状態の接続端子１に打抜いておく。また、電線３先端の被覆部３２を除去することにより導線部３１の先端を外部に露出させる。さらに、棒状の半田２を所定長さの半田片２ａに切断する。なお、半田片２ａの寸法は、箱形状部分１２ａ内に電線３の導線部３１先端が挿入された状態で、箱形状部分１２ａから溶融した半田が溢れ出さないように設定されている。次に、プレス加工によって、電線接続部１２を箱形状に成形する。この箱形状に形成する際に、半田片２ａを箱形状部分１２ａに封入する。半田片２ａが封入された箱形状部分１２ａに設けられた照射窓１４を通じてレーザー光を箱形状部分内部に照射し、封入された半田片２ａを溶融する。半田が溶融したところで、剥き出しになった導線部３１の先端を電線挿入孔１３に挿入し、導線部３１の先端を溶融半田に浸す。そして、電線接続部１２を冷却し、溶融半田を固化させ、接続端子１と電線３とを電気的に接続する。
【００１５】
上記構成によれば、電線接続部１２の箱形状部分１２ａの内部に封入された半田片２ａを加熱して溶融しつつ、電線挿入孔１３に導線部３１先端を挿入し、電線３と電線接続部１２とを電気的に接続することによって、溶融した半田が漏れ出すことがなく、電線と接続端子とが充分な量の半田で接合される。したがって、接続端子と電線とを容易に接続できるとともに、接続箇所に充分な機械的強度が得られる。
【００１６】
上記構成によれば、電線接続部１２の箱形状部分１２ａに設けられた照射窓１４を通じてレーザー光を箱形状部分１２ａ内部に照射し、封入された半田片２ａを溶融する。したがって、封入された半田片２ａを容易に溶融でき、半田を溶融するために複雑な工程を追加せずに済むので、溶融した半田を外部に漏出することなく接続端子１と電線３とを接続できる。
【００１７】
なお、電線接続部１２の箱形状部分１２ａ内に封入された半田片２ａを溶融する手段として、照射窓１４を通じてレーザー光を照射する手段を用いたが、電線接続部１２を加熱しても同様の作用効果が得られる。
【００１８】
また、本実施形態では、雄型の接続端子について適用した場合について説明したが、雌型の接続端子について適用しても同様の作用効果が得られることはもちろんである。
【図面の簡単な説明】
【００１９】
【図１】本発明の一実施形態を示し、接続端子に電線を接合させた状態を示す組立斜視図である。
【図２】本発明の一実施形態を示し、接続端子の展開状態を示す斜視図である。
【図３】従来例の接続作業を示す側面図である。
【図４】従来例の接続構造を示す上面図である。
【符号の説明】
【００２０】
１…接続端子
２…半田
３…電線
１１…端子接続部
１２…電線接続部
１２ａ…箱形状部分
１３…電線挿入孔
１４…照射窓
【図１】
2010108736.tif 000003
【図２】
2010108736.tif 000004
【図３】
2010108736.tif 000005
【図４】
2010108736.tif 000006